(57)【要約】  【課題】  従来のスタンプラリーでは、スタンプラリー開始前に、予め全てのチェックポイントに対して、スタンプ用台紙とスタンプを設置しなければならない。しかし、スタンプ用台紙の準備やスタンプを設置する場所の選定など、スタンプラリーを遂行するために様々な問題がある。  【解決手段】本発明ではGPS機能などが搭載された携帯電話や車載端末など、自身の位置情報を検出できる端末を用い、端末がスタンプエリアに入ると端末自身がスタンプエリアにいることを判断し、スタンプの発行依頼を自動的に行う。これにより、従来技術に比べ飛躍的に位置情報の特定が容易かつ正確になる。また、予めスタンプラリーの参加登録を行っておけば、スタンプエリア内に入った段階で端末自身が自動的にスタンプの発行依頼を行うため、運転中など参加者が携帯端末を操作出来ない状況でも、スタンプの発行が可能である。  【選択図】    図２
2007079650.tif 000002
【特許請求の範囲】
【請求項１】
端末装置と、ラリーサーバ装置と、からなるスタンプラリーシステムであって、
端末装置は、自身の位置情報を含むラリー情報を取得するラリー情報取得部と、
スタンプ発行を認めるラリー情報であるスタンプ発行ラリー情報を保持するスタンプ発行ラリー情報保持部と、
前記ラリー情報取得部にて取得したラリー情報と、前記保持されているスタンプ発行ラリー情報とを比較する比較部と、
前記比較部での比較結果が所定の関係にあるとの比較結果である場合にはスタンプ発行依頼情報を自動送信するスタンプ発行依頼情報自動送信部と、
を有し、
前記ラリーサーバ装置は、
端末装置のスタンプ発行依頼情報送信部から送信されたスタンプ発行依頼情報を受信するスタンプ発行依頼情報受信部と、
スタンプ発行依頼情報受信部にて受信したスタンプ発行依頼情報に基づいて発行するスタンプを送信するスタンプ送信部と、
を有するスタンプラリーシステム。
【請求項２】
端末装置と、ラリーサーバ装置と、からなるスタンプラリーシステムであって、
端末装置は、自身の位置情報を含むラリー情報を取得する第二ラリー情報取得部と、
第二ラリー情報取得部にて取得したラリー情報を保持するラリー情報保持部と、
前記ラリー情報保持部に保持されたラリー情報をまとめて出力するラリー情報出力部と、
を有し、
前記ラリーサーバ装置は、
端末装置のラリー情報出力部から出力される複数のラリー情報をまとめて取得するラリー情報取得部と、
スタンプ発行ラリー情報を保持する第二スタンプ発行ラリー情報保持部と、
前記ラリー情報取得部にて取得したラリー情報と、前記第二スタンプ発行ラリー情報保持部に保持されているスタンプ発行ラリー情報とを比較する第二比較部と、
前記第二比較部での比較結果が所定の関係にあるとの比較結果である場合にはスタンプを発行して送信する第二スタンプ送信部と、
を有するスタンプラリーシステム。
【請求項３】
端末装置と、ラリーサーバ装置と、からなるスタンプラリーシステムであって、
端末装置は、
自身の位置情報を含むラリー情報を取得するラリー情報取得機能と、
スタンプ発行ラリー情報を保持するスタンプ発行ラリー情報保持機能と、
前記ラリー情報取得機能にて取得したラリー情報と、前記保持されているスタンプ発行ラリー情報とを比較する比較機能と、
前記比較機能を利用した比較結果が所定の関係にあるとの比較結果である場合にはスタンプを発行するスタンプ発行機能と、を実行する部をプログラムにより構成するための情報であるスタンプラリー処理回路構成情報を受信するラリープログラム受信部と、
前記ラリープログラム受信部にて受信したスタンプラリー処理回路構成情報に基づいて前記ラリー情報取得機能を有する第三ラリー情報取得部と、前記スタンプ発行ラリー情報保持機能を有する第三スタンプ発行ラリー情報保持部と、前記比較機能を有する第三比較部と、前記スタンプ発行機能を有する第三スタンプ発行部と、を構成するための実行部と、
を有し、
前記ラリーサーバ装置は、
前記スタンプラリー処理回路構成情報を送信するスタンプラリー処理回路構成情報送信部を有する
スタンプラリーシステム。
【請求項４】
端末装置の前記ラリー情報取得部は、ラリー情報として、位置情報と関連づけてさらに時間情報を取得するための時間位置情報取得手段を有し、
前記スタンプ発行ラリー情報保持部は、保持するラリー情報として、位置情報と関連付けてさらに時間情報を保持する時間位置情報保持手段を有する
請求項１に記載のスタンプラリーシステム。
【請求項５】
端末装置の前記第二ラリー情報取得部は、ラリー情報として、位置情報と関連づけてさらに時間情報を取得するための時間位置情報取得手段を有し、
前記第二スタンプ発行ラリー情報保持部は、保持するラリー情報として、位置情報と関連付けてさらに時間情報を保持する時間位置情報保持手段を有する
請求項２に記載のスタンプラリーシステム。
【請求項６】
端末装置に実現される前記ラリー情報取得機能は、ラリー情報として、位置情報と関連づけてさらに時間情報を取得する機能を有し、
前記スタンプ発行ラリー情報保持機能は、保持するラリー情報として、位置情報と関連付けてさらに時間情報を保持する機能を有する
請求項３に記載のスタンプラリーシステム。
【請求項７】
請求項１から６に記載の端末装置におけるラリー情報取得部にて取得されるラリー情報に基づいて発行されるスタンプを取得するスタンプ取得部と、
スタンプ取得部にて取得したスタンプに基づいて応募情報を生成する応募情報生成部と、
応募情報生成部にて生成された応募情報を出力する応募情報出力部と、
を有する第二端末装置。
【請求項８】
請求項１から６に記載の端末装置におけるラリー情報取得部を利用して取得されるラリー情報に基づいて発行されるスタンプを取得するスタンプ取得機能と、
スタンプ取得機能を利用して取得したスタンプに基づいて応募情報を生成する応募情報生成機能と、
応募情報生成機能を利用して生成した応募情報を出力する応募情報出力機能と、
をプログラムにより構成するための情報であるスタンプラリー処理回路構成情報を受信する第二ラリープログラム受信部と、
前記第二ラリープログラム受信部にて受信したスタンプラリー処理回路構成情報に基づいてスタンプ取得部と、応募情報生成部と、応募情報出力部と、を実現するための第二実行部を有する第三端末装置。
【請求項９】
端末装置のスタンプ発行依頼情報送信部から送信されたスタンプ発行依頼情報を受信するスタンプ発行依頼情報受信部と、
スタンプ発行依頼情報受信部にて受信したスタンプ発行依頼情報に基づいて発行するスタンプを送信するスタンプ送信部を有する、ラリーサーバ装置とともに、スタンプラリーシステムを構成する端末装置であって、
自身の位置情報を含むラリー情報を取得するラリー情報取得部と、
スタンプ発行を認めるラリー情報であるスタンプ発行ラリー情報を保持するスタンプ発行ラリー情報保持部と、
前記ラリー情報取得部にて取得したラリー情報と、前記保持されているスタンプ発行ラリー情報とを比較する比較部と、
前記比較部での比較結果が所定の関係にあるとの比較結果である場合にはスタンプ発行依頼情報を自動送信するスタンプ発行依頼情報自動送信部と、
を有する端末装置。
【請求項１０】
自身の位置情報を含むラリー情報を取得するラリー情報取得部と、
スタンプ発行を認めるラリー情報であるスタンプ発行ラリー情報を保持するスタンプ発行ラリー情報保持部と、
前記ラリー情報取得部にて取得したラリー情報と、前記保持されているスタンプ発行ラリー情報とを比較する比較部と、
前記比較部での比較結果が所定の関係にあるとの比較結果である場合にはスタンプ発行依頼情報を自動送信するスタンプ発行依頼情報自動送信部と、
を有する、端末装置とともに、スタンプラリーシステムを構成するラリーサーバ装置であって、
端末装置のスタンプ発行依頼情報送信部から送信されたスタンプ発行依頼情報を受信するスタンプ発行依頼情報受信部と、
スタンプ発行依頼情報受信部にて受信したスタンプ発行依頼情報に基づいて発行するスタンプを送信するスタンプ送信部を有する、ラリーサーバ装置。
【請求項１１】
端末装置のラリー情報出力部から出力される複数のラリー情報をまとめて取得するラリー情報取得部と、
スタンプ発行ラリー情報を保持する第二スタンプ発行ラリー情報保持部と、
前記ラリー情報取得部にて取得したラリー情報と、前記第二スタンプ発行ラリー情報保持部に保持されているスタンプ発行ラリー情報とを比較する第二比較部と、
前記第二比較部での比較結果が所定の関係にあるとの比較結果である場合にはスタンプを発行して送信する第二スタンプ送信部を有する、ラリーサーバ装置とともに、スタンプラリーシステムを構成する端末装置であって、
自身の位置情報を含むラリー情報を取得する第二ラリー情報取得部と、
第二ラリー情報取得部にて取得したラリー情報を複数保持可能なラリー情報保持部と、
前記ラリー情報保持部に保持された複数のラリー情報をまとめて出力するラリー情報出力部を有する端末装置。
【請求項１２】
自身の位置情報を含むラリー情報を取得する第二ラリー情報取得部と、
第二ラリー情報取得部にて取得したラリー情報を保持するラリー情報保持部と、
前記ラリー情報保持部に保持されたラリー情報をまとめて出力するラリー情報出力部
を有する、端末装置とともに、スタンプラリーシステムを構成するラリーサーバ装置であって、
端末装置のラリー情報出力部から出力される複数のラリー情報をまとめて取得するラリー情報取得部と、
スタンプ発行ラリー情報を保持する第二スタンプ発行ラリー情報保持部と、
前記ラリー情報取得部にて取得したラリー情報と、前記第二スタンプ発行ラリー情報保持部に保持されているスタンプ発行ラリー情報とを比較する第二比較部と、
前記第二比較部での比較結果が所定の関係にあるとの比較結果である場合にはスタンプを発行して送信する第二スタンプ送信部とを有する、ラリーサーバ装置
【請求項１３】
前記スタンプラリー処理回路構成情報を送信するスタンプラリー処理回路構成情報送信部を
有するラリーサーバ装置とともに、スタンプラリーシステムを構成する端末装置であって、
自身の位置情報を含むラリー情報を取得するラリー情報取得機能と、
スタンプ発行ラリー情報を保持するスタンプ発行ラリー情報保持機能と、
前記ラリー情報取得機能にて取得したラリー情報と、前記保持されているスタンプ発行ラリー情報とを比較する比較機能と、
前記比較機能を利用した比較結果が所定の関係にあるとの比較結果である場合にはスタンプを発行するスタンプ発行機能と、を実行する部をプログラムにより構成するための情報であるスタンプラリー処理回路構成情報を受信するラリープログラム受信部と、
前記ラリープログラム受信部にて受信したスタンプラリー処理回路構成情報に基づいて前記ラリー情報取得機能を有する第三ラリー情報取得部と、前記スタンプ発行ラリー情報保持機能を有する第三スタンプ発行ラリー情報保持部と、前記比較機能を有する第三比較部と、前記スタンプ発行機能を有する第三スタンプ発行部と、を構成するための実行部と、
を有する、端末装置。
【請求項１４】
自身の位置情報を含むラリー情報を取得するラリー情報取得機能と、
スタンプ発行ラリー情報を保持するスタンプ発行ラリー情報保持機能と、
前記ラリー情報取得機能にて取得したラリー情報と、前記保持されているスタンプ発行ラリー情報とを比較する比較機能と、
前記比較機能を利用した比較結果が所定の関係にあるとの比較結果である場合にはスタンプを発行するスタンプ発行機能と、を実行する部をプログラムにより構成するための情報であるスタンプラリー処理回路構成情報を受信するラリープログラム受信部と、
前記ラリープログラム受信部にて受信したスタンプラリー処理回路構成情報に基づいて前記ラリー情報取得機能を有する第三ラリー情報取得部と、前記スタンプ発行ラリー情報保持機能を有する第三スタンプ発行ラリー情報保持部と、前記比較機能を有する第三比較部と、前記スタンプ発行機能を有する第三スタンプ発行部と、を構成するための実行部と、
を有する、端末装置とともに、スタンプラリーシステムを構成するラリーサーバ装置であって、
前記スタンプラリー処理回路構成情報を送信するスタンプラリー処理回路構成情報送信部を有するラリーサーバ装置。
【請求項１５】
スタンプラリーシステムの動作方法であって、
端末装置自身の位置情報を含むラリー情報を取得するラリー情報取得ステップと、
前記ラリー情報取得ステップにて取得したラリー情報と、スタンプ発行を認めるラリー情報であるスタンプ発行ラリー情報とを比較する比較ステップと、
前記比較ステップでの比較結果が所定の関係にあるとの比較結果である場合にはスタンプ発行依頼情報を自動送信するスタンプ発行依頼情報自動送信ステップと、
スタンプ発行依頼情報送信ステップにて送信されたスタンプ発行依頼情報を受信するスタンプ発行依頼情報受信ステップと、
スタンプ発行依頼情報受信ステップにて受信したスタンプ発行依頼情報に基づいて発行するスタンプを送信するスタンプ送信ステップと、
を有するスタンプラリーシステムの動作方法。
【請求項１６】
スタンプラリーシステムの動作方法であって、
端末装置自身の位置情報を含むラリー情報を取得する第二ラリー情報取得ステップと、
第二ラリー情報取得ステップにて取得したラリー情報を保持するラリー情報保持ステップと、
前記ラリー情報保持ステップにて保持されたラリー情報をまとめて出力するラリー情報出力ステップと、
ラリー情報出力ステップから出力される複数のラリー情報をまとめて取得するラリー情報取得ステップと、
スタンプ発行ラリー情報を保持する第二スタンプ発行ラリー情報保持ステップと、
前記ラリー情報取得ステップにて取得したラリー情報と、前記第二スタンプ発行ラリー情報保持ステップにて保持されているスタンプ発行ラリー情報とを比較する第二比較ステップと、
前記第二比較ステップでの比較結果が所定の関係にあるとの比較結果である場合にはスタンプを発行して送信する第二スタンプ送信ステップと、
を有するスタンプラリーシステムの動作方法
【請求項１７】
スタンプラリーシステムの動作方法であって、
端末装置自身の位置情報を含むラリー情報を取得するラリー情報取得機能と、
スタンプ発行ラリー情報を保持するスタンプ発行ラリー情報保持機能と、
前記ラリー情報取得機能にて取得したラリー情報と、前記保持されているスタンプ発行ラリー情報とを比較する比較機能と、
前記比較機能を利用した比較結果が所定の関係にあるとの比較結果である場合にはスタンプを発行するスタンプ発行機能と、を実行するステップをプログラムにより構成するための情報であるスタンプラリー処理回路構成情報を受信するラリープログラム受信ステップと、
前記ラリープログラム受信ステップにて受信したスタンプラリー処理回路構成情報に基づいて前記ラリー情報取得機能を有する第三ラリー情報取得部と、前記スタンプ発行ラリー情報保持機能を有する第三スタンプ発行ラリー情報保持部と、前記比較機能を有する第三比較部と、前記スタンプ発行機能を有する第三スタンプ発行部と、を構成するための実行ステップと、
を有する
スタンプラリーシステムの動作方法。
【発明の詳細な説明】
【技術分野】
【０００１】
この発明は、通信端末を利用したスタンプラリーシステムに関するものである。
【背景技術】
【０００２】
従来より、複数の店舗などの場所を顧客に訪問してもらう目的で、それぞれの訪問場所にスタンプを設置し、顧客が実際に訪問した証明としてスタンプを所定の台紙に押し、所定のスタンプが押されると、スタンプを押した台紙と引き換えに景品などを受け取るスタンプラリーシステムが販売促進などのイベントの一環として行われてきている。しかし、従来のスタンプラリーでは、スタンプラリー開始前に、予め全てのチェックポイントに対して、スタンプ用台紙とスタンプを設置しなければならない。しかし、スタンプ用台紙の準備やスタンプを設置する場所の選定など、スタンプラリーを遂行するために様々な問題がある。
【０００３】
一方、近年、携帯電話やPHSなどの通信機能を搭載した通信情報端末が急速に普及している。
【０００４】
そこで、特許文献１では、従来のスタンプラリーシステムの問題点を解決するために、携帯電話を使い、ある時刻における携帯電話の位置を証明するスタンプを発行することにより、スタンプラリー主催者がスタンプ用台紙やスタンプを設置する場所などを準備することなくスタンプラリーを遂行することが可能である。この特許文献１の技術では、顧客であるスタンプラリー参加者の操作によるスタンプの発行依頼と、規定を満たしたスタンプ情報の送受信情報から、携帯電話と通信中の基地局を特定し、該基地局の基地局位置情報を取得して、基地局位置情報から携帯電話位置情報を計算し、参加者の位置と時間をスタンプ代行発行サーバにて特定している。
【特許文献１】特開2004-139193号広報
【発明の開示】
【発明が解決しようとする課題】
【０００５】
しかしながら、上記従来の方法では、以下のような問題点がある。
○スタンプエリアに入った後、参加者が手動でスタンプ発行手続きを行う必要がある。
○車載端末や、運転中の場合は、参加者がスタンプ発行手続きを行うことができない。
○通信時の基地局位置情報から参加者の位置を特定するため、厳密な位置を特定できない。そのため、チェックポイントが近接していた場合に対応できない。
といった問題点がある。
【課題を解決するための手段】
【０００６】
そこで、本発明ではGPS機能などが搭載された携帯電話や車載端末など、自身の位置情報を検出できる端末を用い、従来スタンプの発行には参加者の操作による通信が不可欠であったが、端末がスタンプエリアに入ると端末自身がスタンプエリアにいることを判断し、スタンプの発行依頼を自動的に行う。これにより、従来技術に比べ飛躍的に位置情報の特定が容易かつ正確になる。また、予めスタンプラリーの参加登録を行っておけば、スタンプエリア内に入った段階で端末自身が自動的にスタンプの発行依頼を行うため、運転中など参加者が携帯端末を操作出来ない状況でも、スタンプの発行が可能である。
【発明の効果】
【０００７】
本発明により、GPS機能などが搭載された、携帯電話や車載端末などの通信機器を用いてスタンプラリーを行うことにより、自身の位置を正確に検出でき、近接するスタンプエリアにも対応し、自動的にスタンプラリーの発行依頼を行うことが可能であり、従来のスタンプラリーシステムに比べ飛躍的に利便性の高いスタンプラリーシステムを構築することが可能である。
【発明を実施するための最良の形態】
【０００８】
以下に、各発明を実施するための最良の形態を説明する。なお、本発明はこれらの実施形態に何ら限定されるものではなく、その要旨を逸脱しない範囲において、種々なる態様で実施しうる。実施形態１は、請求項１について説明する。また実施形態２は、請求項２について説明する。また実施形態３は、請求項３について説明する。また実施形態４は、請求項４について説明する。また実施形態５は、請求項５について説明する。また実施形態６は、請求項６について説明する。また実施形態７は、請求項７について説明する。また実施形態８は、請求項８について説明する。
<実施形態１>
<実施形態１：概要>
【０００９】
本実施形態のスタンプラリーシステムは、自身の位置情報を含むラリー情報を取得し、端末装置内でラリー情報とスタンプ発行ラリー情報を比較することを特徴とするスタンプラリーシステムである。図１に本実施形態の概要を示した。ユーザは端末装置からラリーサーバに対して参加申込を行い（０１０１）、スタンプ発行ラリー情報を取得する（０１０２）。端末装置は自動的にラリー情報を取得する（０１０３）。ラリー情報を取得すると、端末装置にて、スタンプ発行ラリー情報と取得されたラリー情報とを比較し（０１０４）、所定の関係を満たすと自動的にスタンプ発行依頼情報がラリーサーバへ送信される（０１０５）。ラリーサーバ装置では、受信されたスタンプ発行依頼情報に基づき、スタンプが発行される（０１０６）。
<実施形態１：構成>
【００１０】
本実施形態のスタンプラリーシステムは、端末装置とラリーサーバ装置とからなる。図２に本実施形態の構成を示すブロック図を示した。
【００１１】
「端末装置」（０２０８）は、ラリー情報取得部（０２０２）と発行ラリー情報保持部（０２０３）と比較部（０２０４）とスタンプ発行依頼情報送信部（０２０５）とからなる。
【００１２】
「ラリー情報取得部」は、端末装置の位置情報を含むラリー情報を取得する。ラリー情報はGPS（０２０１）などから得られる端末装置の位置を示す位置情報を含む。ラリー情報は、ユーザと端末装置の移動実績を記録する情報であり、スタンプ発行依頼情報と比較することで、予めスタンプ発行依頼情報にて設定された条件をラリー情報が満たせば、スタンプが発行される。図３にラリー情報の一例を示した。ラリー情報には、GPSなどにより測定された、ユーザおよび端末装置の経緯、緯度などの位置が記載された情報などが記録されている。なお、ラリー情報はGPSでなく、無線通信端末の基地局位置情報より、無線通信端末の経緯、緯度を算出してもよい。
【００１３】
「スタンプ発行ラリー情報保持部」はスタンプ発行ラリー情報を保持する。スタンプ発行ラリー情報は、スタンプを発行するためにラリー情報が満たさなければならない条件である。スタンプ発行ラリー情報保持部では、スタンプラリー開始時に端末装置にラリーサーバ装置からスタンプ発行ラリー情報を取得し保持する。スタンプ発行ラリー情報保持部に保持されているスタンプ発行ラリー情報の一例を図４に示した。スタンプ発行ラリー情報には、ポイントエリアAからDの位置情報として、緯度と経度、それぞれのエリアの大きさなどが設定され、これらの情報がスタンプ発行ラリー情報保持部に保存されている。
【００１４】
「比較部」は、ラリー情報取得部にて取得したラリー情報と、スタンプ発行ラリー情報保持部で保持されているスタンプ発行ラリー情報を比較し、所定の関係にあるかどうかを判定し、スタンプ発行依頼情報の送信を判断する。比較部では、取得されたラリー情報が、予め指定されたポイントエリアにユーザが滞在したかどうかなどを判断し、所定の条件を満たしていれば、スタンプ発行依頼情報の送信をスタンプ発行依頼情報送信部に指示する。図５に一例を示した。スタンプ発行ラリー情報保持部に保持されているスタンプ発行ラリー情報が（１）とする。ラリー情報取得部にて取得したラリー情報が、（２）であった場合、ユーザはスタンプ発行ラリー情報で設定されているAからDのポイントエリアのうちのひとつであるAを巡回しており、比較結果は所定の条件を満たしている。ラリー情報取得部にて取得したラリー情報が、（３）であった場合、ユーザは、スタンプ発行ラリー情報で設定されているポイントエリアを巡回しておらず、比較結果は所定の条件を満たしていないことになる。
【００１５】
図６に本実施形態の比較部のプログラムの一例を示した。まずラリー情報を受信し、ラリー情報に含まれる位置情報を読み出す。次に、比較対象であるスタンプ発行ラリー情報からスタンプ発行ラリー情報に含まれる位置情報であるスタンプ発行位置情報を読み出す。そして、位置情報を比較し、ラリー情報がスタンプ発行ラリー情報の条件を満たすかどうか判断し、条件を満たしている場合には、スタンプの発行を依頼する。
【００１６】
「スタンプ発行依頼情報送信部」は、比較部での比較結果が所定の関係にあるとの比較結果である場合には、スタンプ発行依頼情報をラリーサーバ装置へ自動送信する。スタンプ発行依頼情報は、スタンプを発行するために必要な条件が示された情報であり、ラリー情報が満たさなければならない条件である。図５の例では、ラリー情報が（２）の場合は、予めスタンプ発行ラリー情報で設定されている条件との比較結果が、所定の条件を満たしているため、スタンプ発行依頼情報送信部は、ラリーサーバ装置のスタンプ発行依頼情報受信部へスタンプ発行依頼情報を送信する。
【００１７】
「ラリーサーバ装置」は、スタンプ発行依頼情報受信部とスタンプ送信部とからなる。
【００１８】
「スタンプ発行依頼情報受信部」は、端末装置のスタンプ発行依頼情報送信部から送信されたスタンプ発行依頼情報を受信する。受信されたスタンプ発行依頼情報は、スタンプ送信部に送信される。
【００１９】
「スタンプ送信部」は、スタンプ発行依頼情報受信部にて受信されたスタンプ発行依頼情報を基づいて、端末装置へスタンプを送信する。スタンプとは、ユーザがスタンプ発行ラリー情報の条件に従って、ポイントエリアを巡回したことを認証する電子証明である。
【００２０】
図７は本実施形態のデータの端末装置およびラリーサーバ装置の内部構成を示すハードウエアブロック図である。端末装置（０７０１）およびラリーサーバ装置（０７０２）は、CPU（０７０３，０７０９）を制御中枢として、ROM（０７０５，０７１３）、RAM（０７０４，０７１０）、I/O（０７０７，０７１１）、HDD（０７０６，０７１２）などが複数の本数で構成されるシステムバスで共通接続されている。ユーザは端末装置のI/Oを通じてラリーサーバ装置に対してスタンプラリーの参加申込を行う。ラリーサーバ装置は、スタンプ発行ラリー情報保持部である、HDDやROM内に記録されているスタンプ発行ラリー情報をI/Oを通じて端末装置に送信する。端末装置は、スタンプ発行ラリー情報を取得し、HDDやRAMにスタンプ発行ラリー情報を保存する。
【００２１】
ユーザがポイントエリアを巡回しラリー情報を取得すると、ラリー情報はRAM内に保存される。ラリー情報の取得はラリー情報取得部が行なう。具体的なラリー情報取得部の動きは例えば以下のようなものとなる。まず端末装置のＩ／Ｏを介して接続しているＧＰＳ信号受信デバイス（０７１４）からＧＰＳ信号を受信し、ＲＡＭ内に展開するＧＰＳ処理プログラムによってＧＰＳ信号から経度、緯度情報を生成する。生成された経度、緯度情報はさらにＲＡＭ内に展開されるラリー情報を取得するためのプログラムによって所定の形式の情報に成形されて所定の記憶領域、例えばＲＡＭ内の所定の領域にラリー情報として保存される。
【００２２】
ここでCPUは、スタンプ発行ラリー情報とラリー情報をRAM上で比較し、ラリー情報がスタンプ発行ラリー情報の条件を満たすかどうか判断する。判断は比較部にて行う。具体的な比較部の動きの一例は以下のようになる。まず、端末装置のRAM内に保存されているラリー情報を読み出す。次にHDDやRAMなどの記憶装置に保存されているスタンプ発行ラリー情報を読み出し、CPUは両者を比較し、ラリー情報がスタンプ発行ラリー情報を満たすかどうか判断を行う。判断結果が条件を満たしていた場合には、CPUはスタンプ発行依頼情報の送信をスタンプ発行以来情報自動送信部に命令し、I/Oを通じてラリーサーバ装置にスタンプ発行依頼情報を送信する。
【００２３】
ラリーサーバ装置はスタンプ発行依頼情報をスタンプ発行依頼情報受信部で受信し、スタンプ発行依頼情報をRAM内の所定の領域に保存し、CPUがスタンプ発行依頼情報の内容を確認する。確認後、スタンプ送信部である、CPUはHDDもしくはROM内に記録されているスタンプをI/Oを通じて端末装置へスタンプの発行を命令し、スタンプが発行され送信される。
<実施形態１：処理の流れ>
【００２４】
図８に本実施形態の処理の流れを示した。まず、ユーザは端末装置から、ラリーサーバ装置に対してスタンプラリーの参加申込を行う（Ｓ０８０１）。申込に基づき、ラリーサーバ装置は、端末装置に対して、スタンプ発行ラリー情報を送信し、端末装置のスタンプ発行ラリー情報保持部が、スタンプ発行ラリー情報を取得し保持する（Ｓ０８０２）。端末装置のラリー情報取得部が位置情報を含むラリー情報を取得する（Ｓ０８０３）。取得されたラリー情報は、比較部にてスタンプ発行依頼情報と比較され（Ｓ０８０４）、比較結果が所定の関係を満たしている場合（Ｓ０８０５）には、スタンプ発行依頼情報自動送信部からスタンプ発行依頼情報がラリーサーバ装置に対して送信（Ｓ０８０６）され、スタンプの発行が依頼される。ラリーサーバ装置では、端末装置から送信されたスタンプ発行依頼情報をスタンプ発行依頼情報受信部が受信する（Ｓ０８０７）。受信されたスタンプ発行依頼情報に基づき、スタンプ送信部から端末装置にスタンプが発行され送信される（Ｓ０８０８）。スタンプ受信後、スタンプラリーを継続するかどうか判断する（Ｓ０８０９）。スタンプラリーを継続する場合には、図６中の（１）または（２）に戻る。全てのポイントエリアのスタンプ発行ラリー情報を予め受信している場合には（２）へ戻る。新たなポイントエリアのスタンプ発行ラリー情報を受信する場合には（１）へ戻る。
【００２５】
図９に本実施形態のシーケンス図を示した。本実施形態では、GPS装置（０９０１）、端末装置（０９０２）、ラリーサーバ装置（０９０３）の間で情報の交換が行われる。まず、端末装置からラリーサーバ装置に対してスタンプラリーの参加申込情報が送信される（０９０４）。それに対して、ラリーサーバ装置は、端末装置にスタンプ発行ラリー情報を送信し（０９０５）、スタンプラリーが開始される。ユーザがスタンプエリアを巡回すると、GPS装置などから位置情報を含むラリー情報を受信する（０９０５）。ラリー情報を受信すると、端末装置は、先に取得したスタンプ発行ラリー情報と比較し、予め設定した条件を満たしている場合には、ラリーサーバ装置に対してスタンプ発行依頼情報を送信する（０９０７）。スタンプ発行依頼情報に基づき、ラリーサーバは端末装置に対してスタンプを発行し送信する（０９０８）。
<実施形態２>
<実施形態２：概要>
【００２６】
本実施形態のスタンプラリーシステムは、複数の自身の位置情報を含むラリー情報を取得後、複数のラリー情報をまとめてラリーサーバ装置に送信し、ラリーサーバ装置で、スタンプ発行ラリー情報と比較し、スタンプ発行の判断を行うことを特徴としたスタンプラリーシステムである。図１０に本実施形態の概要を説明するための概念図を示した。ユーザは、ラリーサーバ装置に対して参加申込を行う（１００１）。その後、ユーザは予め設定されたスタンプラリーのポイントエリアに入ると、端末装置は自動的にラリー情報を取得する（１００２）。複数のポイントエリアを巡回し、複数のラリー情報を取得すると、ユーザは端末装置から、取得した複数のラリー情報をまとめてラリーサーバに送信する（１００３）。ラリーサーバでは、受信したラリー情報が予め設定した条件に合致するかどうかを比較し（１００４）、判断結果が所定の関係を満たすと、スタンプを端末装置へ送信する（１００５）。
<実施形態２：構成>
【００２７】
本実施形態のスタンプラリーシステムは、端末装置とラリーサーバ装置とからなる。図１１に本実施形態の構成を示すブロック図を示した。
【００２８】
端末装置（１１０９）は、第二ラリー情報取得部（１１０２）と、ラリー情報保持部（１１０３）と、ラリー情報出力部（１１０４）とからなる。
【００２９】
「第二ラリー情報取得部」は、端末装置の位置情報を含むラリー情報を取得する。ラリー情報はGPSなどから得られる端末装置の位置を示す位置情報を含む。ラリー情報は、ユーザと端末装置の移動実績を記録する情報であり、スタンプ発行依頼情報と比較することで、予めスタンプ発行依頼情報にて設定された条件をラリー情報が満たせば、スタンプが発行される。図１２に集められた複数のラリー情報の一例を示した。ラリー情報には、実施形態１の図３と同様にGPSなどにより測定された、ユーザおよび端末装置の緯度、経度など位置を示す情報が記録されている。なお、ラリー情報の取得手段として、デジタルテレビ・ラジオのデータ放送を利用してもよい。また、インターネットに接続した情報端末によってラリー情報を取得し、そのラリー情報を電子メモリーに保存し端末装置へ持ち込んでもよい。
【００３０】
「ラリー情報出力部」は、ラリー情報保持部に保存された複数のラリー情報をまとめてラリーサーバのラリー情報取得部に送信する。ラリー情報の出力は、複数のラリー情報が取得された段階で、ユーザが端末装置を操作して行う。
【００３１】
「ラリーサーバ装置」（１１１０）は、ラリー情報取得部（１１０５）と、第二スタンプ発行ラリー情報保持部（１１０６）と、第二比較部（１１０７）と、第二スタンプ送信部（１１０８）とからなる。
【００３２】
「ラリー情報取得部」は、端末装置のラリー情報出力部から出力される複数のラリー情報をまとめて取得する。
【００３３】
「第二スタンプ発行ラリー情報保持部」は、スタンプ発行ラリー情報を保持する。スタンプ発行ラリー情報は、スタンプを発行するために、ラリー情報が満たさなければならない条件である。第二スタンプ発行ラリー情報保持部に保持されているスタンプ発行ラリー情報は、実施形態１の図４とほぼ共通のため、説明は省略する。
【００３４】
「第二比較部」は、ラリー情報取得部にて取得したラリー情報と、第二スタンプ発行ラリー情報保持部に保持されているスタンプ発行ラリー情報と比較を行う。比較部では、取得されたラリー情報が、予め指定されたポイントエリアにユーザが滞在したかどうかなど、条件を満たしているかどうかなどを判断し、所定の条件を満たしていれば、第二スタンプ送信部にスタンプの発行を指示する。図１３に一例を示した。第二スタンプ発行ラリー情報保持部に保持されているスタンプ発行ラリー情報が（１）とする。ラリー情報取得部にて取得したラリー情報が、（２）であった場合、ユーザはスタンプ発行ラリー情報で設定されているAからDのポイントエリアを巡回しており、比較結果は所定の条件を満たしている。ラリー情報取得部にて取得したラリー情報が、（３）であった場合、ユーザは、スタンプ発行ラリー情報で設定されているポイントエリアBを巡回しておらず、比較結果は所定の条件を満たしていないことになる。
【００３５】
図１４に本実施形態の第二比較部のプログラムの一例を示した。まずラリー情報を受信し、ラリー情報に含まれる位置情報を読み出す。次に、比較対象であるスタンプ発行ラリー情報からスタンプ発行ラリー情報に含まれる位置情報であるスタンプ発行位置情報を読み出す。そして、それぞれの位置情報を比較し、ラリー情報がスタンプ発行ラリー情報の条件を満たすかどうか判断し、条件を満たしている場合には、スタンプの発行を指示する。
【００３６】
「第二スタンプ送信部」は、第二比較部での比較結果に基づき、スタンプを端末装置に対して送信する。図１３の例では、ラリー情報が（２）の場合は、比較結果が所定の条件を満たしているため、第二スタンプ送信部は端末装置に対してスタンプを発行する。しかし、（３）の場合は、比較結果が所定の条件を満たしていないため、スタンプは発行されない。スタンプは、ユーザがスタンプ発行ラリー情報の条件に従って、ポイントエリアを巡回したことを認証する電子証明である。
【００３７】
図１５は本実施形態のデータの端末装置およびラリーサーバ装置の内部構成を示すハードウエアブロック図である。端末装置（１５０１）およびラリーサーバ装置（１５０２）は、CPU（１５０３，１５０９）を制御中枢として、ROM（１５０５，１５１３）、RAM（１５０４，１５１０）、I/O（１５０７，１５１１）、HDD（１５０６，１５１２）などが複数の本数で構成されるシステムバスで共通接続されている。ユーザは端末装置のI/Oを通じてラリーサーバ装置に対してスタンプラリーの参加申込を行う。ラリーサーバ装置は、スタンプ発行ラリー情報保持部である、HDDやRAMなどの記憶装置にユーザの参加申込を記録する。
【００３８】
ユーザがポイントエリアを巡回しラリー情報を取得すると、ラリー情報は端末装置のRAM内に保存される。ラリー情報の取得はラリー情報取得部が行なう。具体的なラリー情報取得部の動きは例えば以下のようなものとなる。まず端末装置のＩ／Ｏを介して接続しているＧＰＳ信号受信デバイス（１５１４）からＧＰＳ信号を受信し、ＲＡＭ内に展開するＧＰＳ処理プログラムによってＧＰＳ信号から経度、緯度情報を生成する。生成された経度、緯度情報はさらにＲＡＭ内に展開されるラリー情報を取得するためのプログラムによって所定の形式の情報に成形されて所定の記憶領域、例えばＲＡＭ内の所定の領域にラリー情報として保存される。
【００３９】
複数のポイントエリアを巡回し、ラリー情報を蓄積すると、ラリー情報をI/Oを通じてラリー情報をラリーサーバ装置へ送信する。ラリー情報の送信は、ラリー情報出力部が行う。CPUは、RAMなどの記憶領域からラリー情報を読み出し、I/Oを介してラリーサーバ装置へ出力する。ラリーサーバ装置のラリー情報取得部では、I/Oを通じてこれらのラリー情報をまとめて取得し、所定の記憶領域、例えばRAMやHDDなどに保存する。
【００４０】
ここでCPUは、スタンプ発行ラリー情報とラリー情報をRAM上で比較し、ラリー情報がスタンプ発行ラリー情報の条件を満たすかどうか判断する。判断は第二比較部にて行う。具体的な比較部の動きの一例は以下のようになる。まず、端末装置から取得し、記憶領域内に保存されているラリー情報を読み出す。次に第二スタンプ発行ラリー情報保持部であるHDDやRAMなどの記憶装置に保存されているスタンプ発行ラリー情報を読み出し、CPUは両者を比較し、ラリー情報がスタンプ発行ラリー情報を満たすかどうか判断を行う。
【００４１】
判断結果が条件を満たしていた場合には、第二スタンプ送信部では、CPUがHDDもしくはROM内に記録されているスタンプの発行を命令し、I/Oを通じて端末装置にスタンプを送信する。
<実施形態２：処理の流れ>
【００４２】
図１６に本実施形態の処理の流れを示した。まず、ユーザは端末装置から、ラリーサーバ装置に対してスタンプラリーの参加申込を行う（Ｓ１６０１）。その後、ユーザは複数のポイントエリアを巡回し、GPSなどから位置情報を第二ラリー情報取得部がラリー情報として取得する（Ｓ１６０２）。取得されたラリー情報は、ラリー情報保持部にて保持され蓄積される（Ｓ１６０３）。ポイントエリアの巡回が終了すると、蓄積されたラリー情報は、端末装置のラリー情報出力部からラリーサーバ装置のラリー情報取得部へ出力される（Ｓ１６０４）。ラリー情報取得部にて取得（Ｓ１６０５）されたラリー情報は、第二比較部にてスタンプ発行ラリー情報と比較され（Ｓ１６０６）、比較結果が所定の関係を満たしている場合（Ｓ１６０７）には、第二スタンプ送信部より端末装置に対してスタンプが発行される（Ｓ１６０８）。
【００４３】
図１７に本実施形態のシーケンス図を示した。本実施形態では、GPS装置（１７０１）、端末装置（１７０２）、ラリーサーバ装置（１７０３）の間で情報の交換が行われる。まず、端末装置からラリーサーバ装置に対してスタンプラリーの参加申込情報が送信される（１７０４）。ユーザは複数のポイントエリアを巡回し複数のラリー情報を取得する（１７０５）。複数のラリー情報を取得すると、端末装置はラリーサーバ装置に対して、複数のラリー情報をまとめて送信する（１７０６）。ラリーサーバ装置では、ラリー情報をスタンプ発行ラリー情報と比較し、予め設定した条件を満たしている場合には、ラリーサーバ装置に対してスタンプを発行し送信する（１７０７）。
<実施形態３>
<実施形態３：概要>
【００４４】
本実施形態のスタンプラリーシステムは、ラリーサーバからスタンプラリー処理回路構成情報であるプログラムを受信することにより、構成部を実現し、端末装置内でラリー情報の取得から比較、スタンプ発行までを行うことを特徴としたスタンプラリーシステムである。これにより、スタンプラリーを行う時のみ、プログラムをダウンロードし利用することが可能である。また、必要のない時にプログラムを保存する必要はなく、必要なときのみダウンロードして保存すればよい。
【００４５】
図１８に本実施形態の概要を示した。ユーザは、端末装置からラリーサーバに対して参加申込を行い（１８０１）、ラリー情報の取得からスタンプの発行を判断するプログラムであるスタンプラリー処理回路構成情報を取得する（１８０２）。その後、ユーザはスタンプラリーのポイントエリアを巡回し、ラリー情報を取得する（１８０３）。端末装置は、取得したラリー情報とスタンプ発行ラリー情報とを比較し（１８０４）、比較結果が所定の関係を満たしている場合には、スタンプが発行される（１８０５）。
<実施形態３：構成>
【００４６】
本実施形態のスタンプラリーシステムは、端末装置とラリーサーバ装置とからなる。図１９に本実施形態の構成を示すブロック図を示した。
【００４７】
「端末装置」（１９０２）は、ラリープログラム受信部（１９０３）と実行部（１９０４）とからなる装置であり、携帯電話やPDA、カーナビゲーションシステムなどである。
【００４８】
「実行部」は、第三ラリー情報取得部（１９１０）と、第三スタンプ発行ラリー情報保持部（１９１１）と、第三比較部（１９１２）と、第三スタンプ発行部（１９１３）を構成する。
【００４９】
「ラリープログラム受信部」は、自身の位置情報を含むラリー情報を取得するラリー情報取得機能（１９０５）と、スタンプ発行ラリー情報を保持するスタンプ発行ラリー情報保持機能（１９０６）と、前記ラリー情報取得機能にて取得したラリー情報と、前記保持されているスタンプ発行ラリー情報とを比較する比較機能（１９０７）と、前記比較機能を利用した比較結果が所定の関係にあるとの比較結果である場合にはスタンプを発行するスタンプ発行機能（１９０８）と、を実行する部をプログラムにより構成するための情報であるスタンプラリー処理回路構成情報（１９１５）を受信する。
【００５０】
図２０にスタンプラリー処理回路構成情報の一例を示した。スタンプラリー処理回路構成情報は、スタンプ発行ラリー情報の保持やラリー情報の取得、ラリー情報の比較、スタンプの発行までをつかさどるプログラムである。このプログラムが第三実行部にて実行され、第三ラリー情報取得部や第三スタンプ発行ラリー情報保持部、第三比較部、第三スタンプ発行部を構成する。スタンプラリー処理回路構成情報は、スタンプ発行依頼情報を保持する。ラリー情報を取得すると、ラリー情報中の位置情報を読み出す。それとともに、スタンプ発行ラリー情報中の位置情報を読み出し、ラリー情報の位置情報とスタンプ発行ラリー情報中の位置情報と比較を行い、スタンプ発行ラリー情報を満たすか判断を行う。判断結果が条件を満たしていた場合には、スタンプが発行される。
【００５１】
「第三ラリー情報取得部」は、端末装置の位置情報を含むラリー情報を取得する。ラリー情報は、ユーザと端末装置の移動実績を記録する情報であり、スタンプ発行依頼情報と比較することで、予めスタンプ発行依頼情報にて設定された条件をラリー情報が満たせば、スタンプが発行される。第三ラリー情報取得部で取得するラリー情報は実施形態２の図１２とほぼ共通のため、説明は省略する。
【００５２】
「第三スタンプ発行ラリー情報保持部」は、スタンプ発行ラリー情報を保持する。スタンプ発行ラリー情報は、スタンプを発行するために、ラリー情報が満たさなければならない条件である。第二スタンプ発行ラリー情報保持部に保持されているスタンプ発行ラリー情報は、予め設定されたポイントエリアの経度、緯度などの位置情報などが保持されている。第三スタンプラリー情報保持部に保持されているスタンプ発行ラリー情報は、実施形態１の図４とほぼ共通のため、説明は省略する。
【００５３】
「第三比較部」は、ラリープログラム受信部にて受信したスタンプラリー処理回路構成情報に基づいて比較機能を有する。第三比較部は、スタンプ発行ラリー情報保持部で保持されているスタンプ発行ラリー情報を比較し、所定の関係にあるかどうかを判定し、スタンプ発行の判断を行う。本実施形態の比較は実施形態２の図１３とほぼ共通であるが、本実施形態の特徴は、比較を端末装置の実行部にて行う点である。
【００５４】
本実施形態の第二比較部のプログラムは、実施形態２の図１４とほぼ共通であるが、比較を端末装置の実行部で行うことを特徴としている。
【００５５】
「第三スタンプ発行部」は、ラリープログラム受信部にて受信したスタンプラリー処理回路構成情報に基づいてスタンプ発行機能を有する。第三スタンプ発行部は、比較部での比較結果が所定の関係にあるとの比較結果である場合には、スタンプを発行する。図１３の例では、ラリー情報が（２）の場合は、予めスタンプ発行ラリー情報で設定されている条件との比較結果が、所定の条件を満たしているため、スタンプを発行する。スタンプの発行は、複数のラリー情報が集まってからでも、ラリー情報を取得するたびに発行してもよい。
【００５６】
「ラリーサーバ装置」（１９０１）は、スタンプラリー処理回路構成情報送信部（１９０９）を有する。
【００５７】
「スタンプラリー処理回路構成情報送信部」は、端末装置のラリープログラム受信部に対して、スタンプラリー処理回路構成情報を送信する。
【００５８】
図２１は本実施形態のデータの端末装置およびラリーサーバ装置の内部構成を示すハードウエアブロック図である。端末装置（２１０１）およびラリーサーバ装置（２１０２）は、CPU（２１０３，２１０９）を制御中枢として、ROM（２１０５，２１１３）、RAM（２１０４，２１１０）、I/O（２１０７，２１１１）、HDD（２１０６，２１１２）などが複数の本数で構成されるシステムバスで共通接続されている。ユーザは端末装置のI/Oを通じてラリーサーバ装置に対してスタンプラリーの参加申込を行う。ラリーサーバ装置のスタンプラリー処理回路構成情報送信部は、HDDやROMなどの記憶装置に記録されているスタンプラリー処理回路構成情報を、I/Oを通じて、端末装置に送信する。端末装置のラリープログラム受信部は、受信したスタンプラリー処理回路構成情報をHDDやRAMなどの記憶装置の所定領域に記録する。
【００５９】
スタンプラリー処理回路構成情報は、CPUからの命令でHDDやRAMなどの記憶領域にインストールされ実行される。スタンプラリー処理回路構成情報の実行により、端末装置内の実行部には、第三ラリー情報取得部、第三スタンプ発行ラリー情報保持部、第三比較部、第三スタンプ発行部が構成される。
【００６０】
ユーザがポイントエリアを巡回しラリー情報を取得すると、ラリー情報は端末装置のRAM内に保存される。ラリー情報の取得は第三ラリー情報取得部が行う。具体的なラリー情報取得部の動きは例えば以下のようなものとなる。まず端末装置のＩ／Ｏを介して接続しているＧＰＳ信号受信デバイス（２１１４）からＧＰＳ信号を受信し、ＲＡＭ内に展開するＧＰＳ処理プログラムによってＧＰＳ信号から経度、緯度情報を生成する。生成された経度、緯度情報はさらにＲＡＭ内に展開されるラリー情報を取得するためのプログラムによって所定の形式の情報に成形されて所定の記憶領域、例えばＲＡＭ内の所定の領域にラリー情報として保存される。
【００６１】
複数のポイントエリアを巡回し、ラリー情報を蓄積すると、第三比較部は、RAMやHDDなどの記憶領域に保存されているスタンプラリー処理回路構成情報に含まれるスタンプ発行ラリー情報とRAMに蓄積されたラリー情報とをCPUにて比較し、ラリー情報がスタンプ発行ラリー情報の条件を満たすかどうか判断する。判断結果が条件を満たしていた場合には、第三スタンプ発行部にて、CPUはスタンプの発行を指示する。
<実施形態３：処理の流れ>
【００６２】
図２２に本実施形態の処理の流れを示した。まず、ユーザは端末装置からラリーサーバ装置に対してスタンプラリーの参加申込を行う（Ｓ２２０１）。端末装置は、ラリーサーバ装置からスタンプラリー処理回路構成情報を取得する（Ｓ２２０２）。取得したスタンプラリー処理回路構成情報を実行し、実行部に第三ラリー情報取得部、第三スタンプ発行ラリー情報保持部、第三比較部、第三スタンプ発行部を構成する（Ｓ２２０３）。その後、ユーザはポイントエリアを巡回し、第三ラリー情報取得部がGPSなどからラリー情報を取得する（Ｓ２２０４）。取得されたラリー情報は、第三比較部にてスタンプラリー処理回路構成情報に含まれているスタンプ発行ラリー情報と比較され（Ｓ２２０５）、所定の関係を満たしているか判断される（Ｓ２２０６）。比較結果が所定の関係を満たしている場合、第三スタンプ送信部がスタンプを発行する（Ｓ２２０７）。
【００６３】
図２３に本実施形態のシーケンス図を示した。本実施形態では、GPS装置（２３０１）、端末装置（２３０２）、ラリーサーバ装置（２３０３）の間で情報の交換が行われる。まず、端末装置からラリーサーバ装置に対してスタンプラリーの参加申込情報が送信される（２３０４）。ラリーサーバ装置は参加申込を受け付けると、スタンプラリー処理回路構成情報を端末装置へ送信する（２３０５）。ユーザが複数のスタンプエリアを巡回すると、GPS装置などから位置情報を含むラリー情報を受信する（２３０６）。複数のラリー情報を取得すると、先に受信したスタンプラリー処理回路構成情報を基に、スタンプが発行される。
<実施形態４>
<実施形態４：概要>
【００６４】
本実施形態は、ラリー情報取得部に時間位置情報取得手段を有し、スタンプ発行ラリー情報保持部に時間位置情報保持手段を有することにより、スタンプラリーに時間的な要素を取り入れられることを特徴とするスタンプラリーシステムである。また、スタンプ発行ラリー情報を端末装置で取得し、ラリー情報との比較を端末装置内で行う。
<実施形態４：構成>
【００６５】
図２４に本実施形態の構成を示した。本実施形態の構成は、実施形態１とほぼ共通であるが、相違点は、ラリー情報取得部（２４０１）に、ラリー情報として位置情報と関連付けられる時間情報を取得する時間位置情報取得手段（２４０２）を有し、スタンプ発行ラリー情報保持部（２４０３）には、保持するスタンプ発行ラリー情報として、位置情報と関連付けられた時間情報を保持する時間位置情報保持手段（２４０４）を有する点である。
【００６６】
ラリー情報は、GPSなどにより測定されたユーザおよび端末装置の移動実績を記録した情報である。このとき、移動実績と関連づけて時間情報を取得するのが時間位置情報取得手段である。時間情報は、端末装置の時計やラリーサーバ装置上の時計、GPSの時計などから取得される。これにより、ユーザおよび端末装置がいつ（時間）どこ（位置）に居たかを把握することが可能である。図２５にラリー情報の一例を示した。ラリー情報には、位置情報と位置情報に関連づけられた時間情報があわせて記録されている。位置情報として関連づけられる時間情報としては、ポイントエリアに進入した時間と退出した時間や、滞在した時間などである。
【００６７】
スタンプ発行ラリー情報は、スタンプを発行するためにラリー情報が満たさなければならない条件を記録した情報である。このとき、ラリー情報に含まれる位置情報に時間情報を関連づけて保持するのが時間位置情報保持手段である。スタンプ発行ラリー情報に含まれる位置情報に時間情報を関連づけることにより、スタンプラリーに時間的な要素を取り入れることが可能となる。例えば、ポイントエリアに滞在する時間を指定したり、ポイントエリアを巡回する順番を指定することが可能となる。図２６にスタンプ発行ラリー情報の一例を示した。スタンプ発行ラリー情報には、ポイントエリアAからDの位置情報とそれぞれのエリアの大きさや、滞在時間が設定され、これらの情報がスタンプ発行ラリー情報保持部に保存されている。
【００６８】
図２７に本実施形態の一例を示した。（１）に示すのは、受信したラリー情報を地図上に表したものである。GPSなどから得られた位置情報は、（１）の様に地図上に表すことが出来る。これに時間位置情報取得手段にて取得した時間情報を追加すると、（２）の様になる。（１）の位置情報に加え、時間情報が追加されると、ユーザがどの順番でポイントエリアを巡回し、どれだけの時間ポイントエリアに滞在したかなど、位置情報に時間情報が関連づけられて取得される。
【００６９】
ユーザが取得したラリー情報は、スタンプ発行ラリー情報と比較され、比較結果が条件を満たせばスタンプが発行される。図２８に比較の一例を示した。スタンプ発行ラリー情報保持部に保持されているスタンプ発行ラリー情報が（１）とする。ラリー情報取得部にて取得したラリー情報が、（２）であった場合、ユーザはスタンプ発行ラリー情報で設定されているAからDのポイントエリアのうちのひとつであるAを巡回しており、なおかつ、滞在時間も設定された時間以上滞在していることから、比較結果は所定の条件を満たしている。（３）のように、ポイントエリアAを巡回しているが、スタンプ発行ラリー情報で設定されている滞在時間を満たしていないため、比較結果は所定の条件を満たしていないことになる。
【００７０】
図２９に本実施形態の比較部のプログラムの一例を示した。まずラリー情報を受信し、ラリー情報に含まれる位置情報および時間情報を読み出す。次に、比較対象であるスタンプ発行ラリー情報からスタンプ発行ラリー情報に含まれる位置情報であるスタンプ発行位置情報とスタンプ発行時間情報を読み出す。そして、それぞれの時間情報および位置情報を比較し、ラリー情報がスタンプ発行ラリー情報の条件を満たすかどうか判断し、条件を満たしている場合には、スタンプの発行を依頼する。
<実施形態４：処理の流れ>
【００７１】
図３０に本実施形態の処理の流れを示した。本実施形態の処理の流れは、実施形態１の処理の流れの一部となるが、位置情報の他に時間情報を扱うことを特徴としている。端末装置はスタンプ発行ラリー情報を保持する際、時間位置情報保持手段は位置情報と位置情報と関連付けられた時間情報を保持する（Ｓ３００１）。ラリー情報取得部が、GPSなどからラリー情報を取得する際、時間位置情報保持手段は、位置情報と端末装置やラリーサーバ装置、GPSなどの時計から位置情報と関連付けられた時間情報を取得する（Ｓ３００２）。ラリー情報取得後、比較部にてスタンプ発行ラリー情報と比較され（Ｓ３００３）、ラリー情報に含まれる位置情報および時間情報がスタンプ発行ラリー情報の時間位置情報保持手段に保持された位置情報および時間情報の条件を満たすかどうか判断される（Ｓ３００４）。判断結果が条件を満たす場合には、スタンプの発行が依頼される（Ｓ３００５）。
<実施形態５>
<実施形態５：概要>
【００７２】
本実施形態は、第二ラリー情報取得部に時間位置情報取得手段を有し、第二スタンプ発行ラリー情報保持部に時間位置情報保持手段を有することにより、スタンプラリーに時間的な要素を取り入れられることを特徴とするスタンプラリーシステムである。また、取得したラリー情報を、複数まとめてラリーサーバ装置に送信しラリーサーバ装置にてスタンプ発行ラリー情報と比較を行う。
<実施形態５：構成>
【００７３】
図３１に本実施形態の構成を示した。本実施形態の構成は、実施形態２とほぼ共通であるが、相違点は、第二ラリー情報取得部（３１０１）に、ラリー情報として位置情報と関連付けられる時間情報を取得する時間位置情報取得手段（３１０２）を有し、第二スタンプ発行ラリー情報保持部（３１０３）には、保持するラリー情報として、位置情報と関連付けられた時間情報を保持する時間位置情報保持手段（３１０４）を有する点である。
【００７４】
ラリー情報は、GPSなどにより測定されたユーザおよび端末装置の移動実績を記録した情報である。このとき、移動実績と関連づけて時間情報を取得するのが時間位置情報取得手段である。時間情報は、端末装置の時計やラリーサーバ装置上の時計、GPSの時計などから取得される。これにより、ユーザおよび端末装置がいつ（時間）どこ（位置）に居たかを把握することが可能である。図３２に集められた複数のラリー情報の一例を示した。ラリー情報には、位置情報と位置情報に関連づけられた時間情報があわせて記録されている。位置情報として関連づけられる時間情報としては、ポイントエリアに進入した時間と退出した時間や、滞在した時間などである。
【００７５】
スタンプ発行ラリー情報は、スタンプを発行するためにラリー情報が満たさなければならない条件を記録した情報である。スタンプ発行ラリー情報は、実施形態４の図２６とほぼ共通であるため、説明は省略する。
【００７６】
ユーザが取得したラリー情報は、スタンプ発行ラリー情報と比較され、比較結果が条件を満たせばスタンプが発行される。本実施形態における比較の特徴は、複数のラリー情報に対して、まとめて比較を行う点である。図３３に比較の一例を示した。第二スタンプ発行ラリー情報保持部に保持されているスタンプ発行ラリー情報が（１）とする。ラリー情報取得部にて取得したラリー情報が、（２）であった場合、ユーザはスタンプ発行ラリー情報で設定されているAからDのポイントエリアを巡回しており、なおかつ、滞在時間も設定された時間以上滞在していることから、比較結果は所定の条件を満たしている。ラリー情報取得部にて取得したラリー情報が、（３）であった場合、ユーザは、スタンプ発行ラリー情報で設定されているポイントエリアBを巡回しておらず、また、Aの滞在時間も設定された滞在時間を満たしていないため、比較結果は所定の条件を満たしていないことになる。
【００７７】
図３４に本実施形態の第二比較部のプログラムの一例を示した。まずラリー情報を受信し、ラリー情報に含まれる位置情報および時間情報を読み出す。次に、比較対象であるスタンプ発行ラリー情報からスタンプ発行ラリー情報に含まれる位置情報であるスタンプ発行位置情報とスタンプ発行時間情報を読み出す。そして、それぞれの時間情報および位置情報を比較し、ラリー情報がスタンプ発行ラリー情報の条件を満たすかどうか判断し、条件を満たしている場合には、スタンプの発行を指示する。
<実施形態５：処理の流れ>
【００７８】
図３５に本実施形態の処理の流れを示した。本実施形態の処理の流れは、実施形態２の処理の流れの一部となるが、位置情報の他に時間情報を扱うことを特徴としている。端末装置の第二スタンプ発行ラリー情報保持部はスタンプ発行ラリー情報を保持する際、時間位置情報保持手段は位置情報と位置情報と関連付けられた時間情報を保持する（Ｓ３５０１）。第二ラリー情報取得部が、GPSなどからラリー情報を取得する際、時間位置情報保持手段は、位置情報と端末装置やラリーサーバ装置、GPSなどの時計から位置情報と関連付けられた時間情報を取得する（Ｓ３５０２）。複数のラリー情報が蓄積されると、ラリー情報はラリーサーバ装置に送信され第二比較部にてスタンプ発行ラリー情報と比較（Ｓ３５０３）され、ラリー情報に含まれる位置情報および時間情報が第二スタンプ発行ラリー情報保部の時間位置情報保持手段に保持された位置情報および時間情報の条件を満たすかどうか判断される。判断結果が条件を満たす場合には、スタンプの発行が発行され端末装置に送信される（Ｓ３５０４）。
<実施形態６>
<実施形態６：概要>
【００７９】
本実施形態は、ラリー情報取得機能に時間情報を取得する機能を有し、スタンプ発行ラリー情報保持機能に、時間情報を保持する機能を有することにより、スタンプラリーに時間的な要素を取り入れられることを特徴とするスタンプラリーシステムである。また、ラリーサーバ装置からプログラムであるスタンプラリー処理回路構成情報を取得し、このプログラムにより実行部における各部を構成し、ラリー情報の取得から比較、スタンプ発行までを端末装置で行う。
<実施形態６：構成>
【００８０】
図３６に本実施形態の構成を示した。本実施形態の構成は、実施形態３とほぼ共通であるが、相違点は、ラリー情報取得機能（３６０１）に、ラリー情報として位置情報と関連付けられる時間情報を取得する機能（３６０２）を有し、スタンプ発行ラリー情報保持機能（３６０３）には、保持するラリー情報として、位置情報と関連付けられた時間情報を保持する機能（３６０４）を有する点である。
【００８１】
ラリー情報は、GPSなどにより測定されたユーザおよび端末装置の移動実績を記録した情報である。本実施形態のラリー情報は、実施形態５の図３２とほぼ共通であるため、説明は省略する。
【００８２】
スタンプ発行ラリー情報は、スタンプを発行するためにラリー情報が満たさなければならない条件を記録した情報である。本実施形態のスタンプ発行ラリー情報は、実施形態４の図２６とほぼ共通であるため、説明は省略する。
【００８３】
ユーザが取得したラリー情報は、スタンプ発行ラリー情報と比較され、比較結果が条件を満たせばスタンプが発行される。本実施形態の比較は、実施形態５の図３３とほぼ共通であるが、本実施形態の特徴は、比較を端末装置で行う点である。
【００８４】
本実施形態の第三比較部のプログラムは、実施形態５の図３４とほぼ共通であるが、本実施形態の特徴は、第三比較部のプログラムを端末装置内の実行部で行う点である。
<実施形態６：処理の流れ>
【００８５】
図３７に本実施形態の処理の流れを示した。本実施形態の処理の流れは、実施形態３の処理の流れの一部となるが、位置情報の他に時間情報を扱うことを特徴としている。まず、端末装置がスタンプ発行ラリー情報を取得する際、位置情報と関連付けられる時間情報を保持する機能は、位置情報と位置情報と関連づけられた時間情報を保持する（Ｓ３７０１）。次にラリー情報取得機能が、GPSなどから位置情報を取得する際、位置情報と関連付けられる時間情報を取得する機能は、端末装置やラリーサーバ装置、GPSなどの時計からその時の時間情報を取得（Ｓ３７０２）する。複数のラリー情報が蓄積されると、ラリー情報は第三比較部にてスタンプ発行ラリー情報と比較（Ｓ３７０３）され、ラリー情報に含まれる位置情報および時間情報がスタンプ発行ラリー情報の位置情報および時間情報の条件を満たすかどうか判断される。判断結果が条件を満たす場合には、スタンプの発行が発行され端末装置に送信される（Ｓ３７０４）。
<実施形態７>
<実施形態７：概要>
【００８６】
本実施形態の端末装置は、発行されたスタンプに基づき、応募情報を生成することを特徴とする端末装置である。
<実施形態７：構成>
【００８７】
本実施形態の構成を図３８に示した。本実施形態の第二端末装置（３８０１）は、スタンプ取得部（３８０２）と応募情報生成部（３８０３）と応募情報出力部（３８０４）とからなる。
【００８８】
「スタンプ取得部」は、実施形態１から３に記載されたラリー情報がスタンプ発行ラリー情報との比較結果が所定の関係を満たしている場合に発行されるスタンプを取得する。スタンプは、ラリーサーバ装置から送信されても、端末装置自身が取得したプログラムが発行してもよい。またこのスタンプは、ユーザが予め設定されたポイントエリアを巡回し、取得されたラリー情報が設定された条件であるスタンプ発行ラリー情報を満たしていること証明するものである。
【００８９】
「応募情報生成部」は、発行されたスタンプに基づいて応募情報を生成する。応募情報は、スタンプ取得部にて取得されたスタンプに基づき生成されたものである。応募情報はユーザが、予め設定された条件を満たし、スタンプラリーの主催者に対して景品等を要求するための情報である。図３９に応募情報の一例を示した。応募情報には、ラリー情報がスタンプ発行ラリー情報を満たしていることを証明する情報、たとえばスタンプIDなどや、景品などの要求に必要な、ユーザの氏名、住所、e-メールアドレスなどの情報が含まれる情報である。
【００９０】
図４０に応募情報生成部を構成するプログラムの一例を示した。まず、応募情報生成部は、スタンプの取得を確認後、ラリー情報がスタンプ発行ラリー情報を満たしている証明となるスタンプIDや、ユーザを識別するユーザIDなどを読み出す。次に、応募に必要なユーザの情報をユーザが入力するように求める。すべての入力が完了し、応募情報が生成されると、応募情報出力部に応募情報を送信するように指示する。
【００９１】
「応募情報出力部」は、応募情報生成部にて生成された応募情報を主催者に送信する。応募情報の出力は、携帯電話網や無線ネットワーク網などを通じて主催者に送信される。
【００９２】
図４１は本実施形態のデータの端末装置およびラリーサーバ装置の内部構成を示すハードウエアブロック図である。端末装置（４１０１）およびラリーサーバ装置（４１０２）は、CPU（４１０３，４１０９）を制御中枢として、ROM（４１０５，４１１３）、RAM（４１０４，４１１０）、I/O（４１０７，４１１１）、HDD（４１０６，４１１２）などが複数の本数で構成されるシステムバスで共通接続されている。スタンプが発行されると、端末装置のスタンプ取得部は、RAMやHDDなどの記憶装置の所定領域にスタンプを保存する。次に、応募情報生成部は応募情報を生成する。応募情報の生成は、CPUの指示でRAMやHDDなどの記憶装置に保存されているスタンプを読み出し、さらにユーザからユーザの個人情報をユーザ入力デバイス（４１１４）からI/Oを介して得ることで生成する。生成された応募情報は、RAMやHDDなどの記憶領域に保存される。応募情報が生成されると、応募情報出力部が応募情報をラリーサーバなどスタンプラリーの主催者へ出力する。出力は、CPUの指示で、RAMやHDDに保存された応募情報を読み出し、I/Oを介して出力される。
<実施形態７：処理の流れ>
【００９３】
図４２に本実施形態の処理の流れを示した。発行されたスタンプをスタンプ取得部が取得（Ｓ４２０１）すると、応募情報生成部が応募情報を生成する（Ｓ４２０２）。生成された応募情報は、応募情報出力部より出力（Ｓ４２０３）され、応募情報がスタンプラリーの主催者へ送信される。
<実施形態８>
<実施形態８：概要>
【００９４】
本実施形態は、スタンプ取得機能と応募情報生成機能をプログラムにより構成するためのスタンプラリー処理回路構成情報を実行するための第二実行部を有する第三端末装置である。本実施形態は、ラリーサーバ装置よりプログラムであるスタンプラリー処理回路構成情報をダウンロードし、これを実行することにより、スタンプの発行から応募情報の生成、応募情報の出力までを端末装置で行うことを特徴としている。
<実施形態８：構成>
【００９５】
本実施形態の構成を示すブロック図を図４３に示した。本実施携帯の第三端末装置（４３０１）は、第二ラリープログラム受信部（４３０２）と第二実行部（４３０３）を有する。
【００９６】
第二ラリープログラム受信部は、スタンプラリー処理回路構成情報（４３０４）を受信する。スタンプラリー処理回路構成情報は、スタンプを取得するスタンプ取得機能（４３０５）と、スタンプ取得機能を利用して取得したスタンプに基づいて応募情報を生成する応募情報生成機能（４３０６）と、生成した応募情報を出力する応募情報出力機能（４３０７）をプログラムにより構成するための情報である。応募情報は、スタンプラリーの景品などの要求に必要な、スタンプIDやユーザIDユーザの氏名、住所、e-メールアドレスなどの情報が含まれる情報であり、実施形態７の図４９とほぼ共通なため、詳細な説明は省略する。
【００９７】
第二実行部は、スタンプラリー処理回路構成情報に基づいて、それを実行させる装置である。第二実行部はスタンプ取得部（４３０８）と、応募情報生成部（４３０９）と、応募情報出力部（４３１０）とからなる。
【００９８】
「スタンプ取得部」は、実施形態１から３に記載されたラリー情報がスタンプ発行ラリー情報との比較結果が所定の関係を満たしている場合に発行されるスタンプを取得する。スタンプは、ラリーサーバ装置から送信されても、端末装置自身が取得したプログラムが発行してもよい。またこのスタンプは、ユーザが予め設定されたポイントエリアを巡回し、取得されたラリー情報が設定された条件であるスタンプ発行ラリー情報を満たしていること証明するものである。
【００９９】
「応募情報生成部」は、発行されたスタンプに基づいて応募情報を生成する。応募情報は、スタンプ取得部にて取得されたスタンプに基づき生成されたものである。応募情報はユーザが、予め設定された条件を満たし、スタンプラリーの主催者に対して景品等を要求するための情報である。なお、応募情報生成部を構成するプログラムも実施形態７の図５０と同様であるため説明は省略する。
【０１００】
「応募情報出力部」は、応募情報生成部にて生成された応募情報を主催者に送信する。応募情報の出力は、携帯電話網や無線ネットワーク網などを通じて主催者に送信される。
【０１０１】
図４４は本実施形態のデータの端末装置およびラリーサーバ装置の内部構成を示すハードウエアブロック図である。端末装置（４４０１）およびラリーサーバ装置（４４０２）は、CPU（４４０３，４４０９）を制御中枢として、ROM（４４０５，４４１３）、RAM（４４０４，４４１０）、I/O（４４０７，４４１１）、HDD（４４０６，４４１２）などが複数の本数で構成されるシステムバスで共通接続されている。まず、第二ラリープログラム受信部は、スタンプラリー処理回路構成情報をラリーサーバよりダウンロードする。このとき、CPUがラリーサーバからスタンプラリー処理回路構成情報のダウンロードを指示し、RAMやHDDなどの記憶装置の所定の領域に保存する。保存されたスタンプラリー処理回路構成情報は、CPUで実行され、HDDやRAMなどの記憶領域にインストールされる。スタンプラリー処理回路構成情報がインストールされることにより、スタンプ取得部、応募情報生成部、応募情報出力部が構成させる。スタンプが発行されると、端末装置のスタンプ取得部は、RAMやHDDなどの記憶装置の所定領域にスタンプを保存する。次に、応募情報生成部は応募情報を生成する。応募情報の生成は、CPUの指示でRAMやHDDなどの記憶装置に保存されているスタンプを読み出し、さらにユーザからユーザの個人情報をユーザ入力デバイス（４４１４）からI/Oを介して得ることで生成する。生成された応募情報は、RAMやHDDなどの記憶領域に保存される。応募情報が生成されると、応募情報出力部が応募情報をラリーサーバなどスタンプラリーの主催者へ出力する。出力は、CPUの指示で、RAMやHDDに保存された応募情報を読み出し、I/Oを介して出力される。
<実施形態８：処理の流れ>
【０１０２】
図４５に本実施形態の処理の流れを示した。まず、スタンプ取得機能と応募情報生成機能をプログラムにより構成するためのスタンプラリー処理回路構成情報をラリーサーバより受信する（Ｓ４５０１）。受信したスタンプラリー処理回路構成情報を実行すると、実行部にスタンプ取得部、応募情報生成部、応募情報出力部が構成される（Ｓ４５０２）。発行されたスタンプをスタンプ取得部が取得（Ｓ４５０３）すると、応募情報生成部が応募情報を生成する（Ｓ４５０４）。生成された応募情報は、応募情報出力部より出力（Ｓ４５０５）され、応募情報がスタンプラリーの主催者へ送信される。
の上部には、移動刃（1404）が設置されている。
【図面の簡単な説明】
【０１０３】
【図１】実施形態１を説明するための概念図
【図２】実施形態１の構成を説明する概念図
【図３】実施形態１のラリー情報を説明するための図
【図４】実施形態１のスタンプ発行ラリー情報を説明するための図
【図５】実施形態１の比較部での比較内容を説明する図
【図６】実施形態１の比較プログラムを説明するための図
【図７】実施形態１の内部構成を説明するためのハードウエアブロック図
【図８】実施形態１の処理の流れを説明するフローチャート図
【図９】実施形態１の情報のやり取りを説明するためのシーケンス図
【図１０】実施形態２を説明するための概念図
【図１１】実施形態２の構成を説明する概念図
【図１２】実施形態２のラリー情報を説明するための図
【図１３】実施形態２の比較部での比較内容を説明する図
【図１４】実施形態２の比較プログラムを説明するための図
【図１５】実施形態２の内部構成を説明するためのハードウエアブロック図
【図１６】実施形態２の処理の流れを説明するフローチャート図
【図１７】実施形態２の情報のやり取りを説明するためのシーケンス図
【図１８】実施形態３を説明するための概念図
【図１９】実施形態３の構成を説明する概念図
【図２０】実施形態３の比較プログラムを説明するための図
【図２１】実施形態３の内部構成を説明するためのハードウエアブロック図
【図２２】実施形態３の処理の流れを説明するフローチャート図
【図２３】実施形態３の情報のやり取りを説明するためのシーケンス図
【図２４】実施形態４の構成を説明する概念図
【図２５】実施形態４のラリー情報を説明するための図
【図２６】実施形態４のスタンプ発行ラリー情報を説明するための図
【図２７】実施形態４のラリー情報の一例を示す図
【図２８】実施形態４の比較部での比較内容を説明する図
【図２９】実施形態４の比較プログラムを説明するための図
【図３０】実施形態４の処理の流れを示すフローチャート図
【図３１】実施形態５の構成を説明する概念図
【図３２】実施形態５のラリー情報を説明するための図
【図３３】実施形態５の比較部での比較内容を説明する図
【図３４】実施形態５の比較プログラムを説明するための図
【図３５】実施形態５の処理の流れを示すフローチャート図
【図３６】実施形態６の構成を説明するための概念図
【図３７】実施形態６の処理の流れを説明するフローチャート図
【図３８】実施形態７の構成を説明するための概念図
【図３９】実施形態７の応募情報を説明するための図
【図４０】実施形態７の応募情報生成部を構成するプログラムの一例
【図４１】実施形態７の内部構成を示すハードウエアブロック図
【図４２】実施形態７の処理の流れを示すフローチャート図
【図４３】実施形態８の構成を説明するための概念図
【図４４】実施形態８の内部構成を示すハードウエアブロック図
【図４５】実施形態８の処理の流れを示すフローチャート図
【符号の説明】
【０１０４】
0201      GPS衛星など
0202      ラリー情報取得部
0203      スタンプ発行ラリー情報保持部
0204      比較部
0205      スタンプ発行依頼情報自動送信部
0206      スタンプ発行依頼情報受信部
0207      スタンプ送信部
0208      端末装置
0209      ラリーサーバ装置
【図１】
2007079650.tif 000003
【図２】
2007079650.tif 000004
【図３】
2007079650.tif 000005
【図４】
2007079650.tif 000006
【図５】
2007079650.tif 000007
【図６】
2007079650.tif 000008
【図７】
2007079650.tif 000009
【図８】
2007079650.tif 000010
【図９】
2007079650.tif 000011
【図１０】
2007079650.tif 000012
【図１１】
2007079650.tif 000013
【図１２】
2007079650.tif 000014
【図１３】
2007079650.tif 000015
【図１４】
2007079650.tif 000016
【図１５】
2007079650.tif 000017
【図１６】
2007079650.tif 000018
【図１７】
2007079650.tif 000019
【図１８】
2007079650.tif 000020
【図１９】
2007079650.tif 000021
【図２０】
2007079650.tif 000022
【図２１】
2007079650.tif 000023
【図２２】
2007079650.tif 000024
【図２３】
2007079650.tif 000025
【図２４】
2007079650.tif 000026
【図２５】
2007079650.tif 000027
【図２６】
2007079650.tif 000028
【図２７】
2007079650.tif 000029
【図２８】
2007079650.tif 000030
【図２９】
2007079650.tif 000031
【図３０】
2007079650.tif 000032
【図３１】
2007079650.tif 000033
【図３２】
2007079650.tif 000034
【図３３】
2007079650.tif 000035
【図３４】
2007079650.tif 000036
【図３５】
2007079650.tif 000037
【図３６】
2007079650.tif 000038
【図３７】
2007079650.tif 000039
【図３８】
2007079650.tif 000040
【図３９】
2007079650.tif 000041
【図４０】
2007079650.tif 000042
【図４１】
2007079650.tif 000043
【図４２】
2007079650.tif 000044
【図４３】
2007079650.tif 000045
【図４４】
2007079650.tif 000046
【図４５】
2007079650.tif 000047